(57)【要約】【課題】斜めから見ても織代（おりしろ）が現れることなく、単紋がきれいに現れるようになる紋畳縁地を提供する。【解決手段】織代部分５１と紋部分５３の間に、紋部分５３から連続する単紋５２の一部５４を配するようにした。このため、畳の上面から見て単紋５２が完全に見えるように紋縁地を配置しても、畳表の折り返し部分には単紋５２の一部が現れることになる。すなわち、そこを斜めから見ても織代５１が見えることはなく、上面から見える単紋５２がそのまま連続して畳の方に折り返されているように見える。【選択図】図５
0003168560.tif 000002
【実用新案登録請求の範囲】
【請求項１】
織代部分と紋部分の間に、紋部分から連続する単紋の一部を配するようにしたことを特徴とする紋畳縁地。
【請求項２】
幅方向に単紋が3列並ぶ請求項１に記載の紋畳縁地。
【請求項３】
幅方向に単紋が4列以上並ぶ請求項１に記載の紋畳縁地。
【請求項４】
幅方向に単紋が2列並ぶ請求項１に記載の紋畳縁地。
【請求項５】
幅方向に単紋が1列半並ぶ請求項１に記載の紋畳縁地。
【考案の詳細な説明】
【技術分野】
【０００１】
本考案は、畳の縁（へり）に縫いつける畳縁地に関する。
【背景技術】
【０００２】
日本家屋の代表的な床材である畳は、畳床の上面を畳表で覆い、両側部を畳縁で固定したものである。
一般の畳縁には無地や細かい柄のものが用いられることが多い（例えば、特許文献１、非特許文献１参照）が、寺院等で用いられる格式の高い畳では、大きな紋を一列に配した紋畳縁が用いられる。図１(a)はそのような紋畳縁１１を用いた畳１０全体の平面図、図１(b)はその一つの角（かど）の拡大図である。これらの図に現れている通り、紋畳縁１１を用いる場合、その紋１２（以下、「単紋」という。）は必ず、その単紋１２の端が畳縁１１の両側の端に揃い、且つ、長手方向両端の端にも揃うように、配さねばならないとされている。
【０００３】
このような紋畳縁１１に用いられる素材である紋畳縁地２０は、図２に示すような帯状のものを用いる。図２(a)は三つ紋、図２(b)は四つ紋と呼ばれるものであるが、いずれも両端に幅1cmほどの織代（おりしろ）２１が設けられ、その間に大きさ約4cm（1寸3分5厘）の単紋２２が3列又は4列配されている。これらの紋畳縁地２０は次のように用いる。
【０００４】
三つ紋について図３により説明すると、まず、紋畳縁地２０を長手方向に沿って半分の幅に切り、2本の半切畳縁地２５を作る（図３(a)、(b)）。このうち1本を一つの畳の一方の長手辺に取り付け、他方の1本を、その畳の隣に置くべき畳の、前記長手辺に接する長手辺に取り付ける。このように、1本の紋畳縁地２０を半切りしたペアである半切畳縁地２５、２５を隣同士にするのは、紋畳縁地２０に織り込まれている単紋２２の大きさが必ずしも均等ではないためである。すなわち、長い紋畳縁地２０の中では単紋２２の大きさや配置に僅かなバラツキがあるため、別の箇所の紋畳縁地２０から取った半切畳縁地２５、２５を隣接する畳の隣り合わせの辺（縁）に用いた場合、両側の単紋２２が畳の長手方向のいずれかの箇所で僅かにずれ、畳を敷いた部屋全体の見栄えが悪くなるためである。
【０００５】
図３(c)及び(d)に示すように、半切畳縁地２５は、まず、織代部分２１と紋部分２３の境界線の箇所で畳に糸で縫い付ける。この縫い付けは、織り密度の高い（すなわち、強度の高い）織代部分２１の方で行う。そして、紋部分２３を裏返して1つの単紋２２の全体(w)が畳縁の上面に現れるようにし、更に、残りの部分(p)を畳床の切り口に折り込み（図３(e)）、その端を糸で畳床の切り口の下側に縫い付ける。こうして半切畳縁地２５が縫い付けられた状態の畳１０の断面図を図４に示す。なお、四つ紋の紋畳縁地２０の場合は、畳床の切り口における部分(p)の長さL1が長くなるだけであり、畳を敷いたときの外観は三つ紋の場合と変わらない。
【先行技術文献】
【特許文献】
【０００６】
【特許文献１】実開平05-064347号公報
【非特許文献】
【０００７】
【非特許文献１】「畳縁一覧」,高田織物株式会社,[平成23年3月30日検索],インターネット<URL:http://www.ohmiyaberi.co.jp/OHMIYA/gazouitiran/>
【考案の概要】
【考案が解決しようとする課題】
【０００８】
上記の通り、紋畳縁を畳の長手辺に取り付ける際は、丁度、紋部分２３と織代部分２１の境界線で折り返すように縫い付けられるが、その折り返し箇所で、僅かではあるが、紋畳縁地２０の厚みの2倍の高さの端面が見えてしまう。ここで、畳の上面から見て（図３(e)矢印A）単紋２２が完全に見えるようにすると、斜めから見ると（図３(e)矢印B）、この僅かの高さの端面に、織代２１が見えてしまう。上記の通り、紋畳縁では、全ての単紋２２が完全に見えるように、且つ、隣同士の紋がずれないように、細心の注意を払って畳縁地を取り付けるのに、このような織代２１が見えるようでは、せっかくの苦労が台無しとなってしまう。逆に、織代２１が完全に隠れるようにすると、単紋２２が完全な形で表れず一部が欠けてしまうことになるため、上面から見たときに見栄えが悪い。
【０００９】
そこで本考案が解決しようとする課題は、斜めから見ても織代が現れることなく、単紋がきれいに現れるようになる紋畳縁地を提供することである。
【課題を解決するための手段】
【００１０】
上記課題を解決するために成された本考案に係る紋畳縁地は、織代部分と紋部分との間に、紋部分から連続する単紋の一部を配するようにしたことを特徴とする。
【考案の効果】
【００１１】
従来の紋畳縁地では、図２に示すように、織代部分と紋部分とは、単紋の端で接するようになっていたが、本考案に係る紋畳縁地では、織代部分と単紋の端の間に、紋部分から連続する単紋の一部が配置されている。このため、畳の上面から見て単紋が完全に見えるように紋縁地を配置しても、前記折り返し部分には単紋の一部が現れることになる。したがって、そこを斜めから見ても織代が見えることはなく、上面から見える単紋がそのまま連続して畳の方に折り返されているように見える。
【００１２】
なお、本考案に係る紋畳縁地は、通常は従来最も一般的に用いられている麻等の布地を用いるのが望ましいが、例えばビニールや不織布等、他の素材を用いても良いことはもちろんである。
【図面の簡単な説明】
【００１３】
【図１】紋畳縁を用いた畳全体の(a)平面図、及び(b)その一つの角（かど）の拡大図。
【図２】従来の紋畳縁地の平面図であり、(a)は三つ紋の紋畳縁地、(b)は四つ紋の紋畳縁地。
【図３】畳縁地を畳に取り付ける際の工程を示す説明図。
【図４】畳縁が縫いつけられた状態の畳の断面図。
【図５】本考案の一実施例である三つ紋の紋畳縁地の(a)平面図、及び(b)それを半切りした半切畳縁地の平面図。
【図６】本考案の別の実施例である四つ紋の紋畳縁地の(a)平面図、及び(b)それを半切りした半切畳縁地の平面図。
【図７】本考案の更に別の実施例である一つ半紋の紋畳縁地の平面図。
【考案を実施するための形態】
【００１４】
図５(a)に本考案の一実施例である三つ紋の紋畳縁地５０を示す。本実施例の紋畳縁地５０は、図２(a)に示す従来のものと異なり、織代部分５１と紋部分５３の間に、紋部分５３から連続する単紋５２の一部５４が配されている。この紋畳縁地５０を用いて畳縁を作製する場合、畳表への縫い付けは従来と同様織代部分５１で行うが、紋部分５３の折り返しは、図５(b)に示すように、従来のような単紋５２と織代５１の境界線ではなく、完全な単紋（表出単紋）５２と前記単紋の一部５４の境界線（点線a）のすぐ外側（図５(b)では下側）の箇所で行う。そして、表出単紋５３の他方の端（点線b）で畳床の切り口に折り込み、その端を畳床の切り口の下側に縫い付ける。
【００１５】
こうして畳に縫い付けた畳縁地の折り返し部分を斜めから見ても、従来のような織代５１ではなく、ちゃんとした単紋５２が見えるため、見栄えの良い紋縁畳とすることができる。
【００１６】
図６(a)、(b)に本考案の別の実施例として四つ紋の紋畳縁地６０を示すが、その使用法は上記三つ紋の場合と全く同じで、ただ、単紋1つ分が畳床の切り口を覆うことになるだけである。なお、本考案はこれらの三つ紋や四つ紋に限られることなく、五つ紋以上の広幅のものに適用することももちろん可能である。或いは逆に、二つ紋や、図７に示すような一つ半の紋畳縁地として、半切りせずにそのまま用いることも可能である。
【符号の説明】
【００１７】
１０…畳
１１…紋畳縁
１２…単紋
２０、５０、６０、７０…紋畳縁地
２１…織代部分
２２、５２…単紋
２３、５３…紋部分
２５、５５…半切畳縁地
５１…織代部分
５３…表出単紋
５４…単紋の一部
【図１】
0003168560.tif 000003
【図２】
0003168560.tif 000004
【図３】
0003168560.tif 000005
【図４】
0003168560.tif 000006
【図５】
0003168560.tif 000007
【図６】
0003168560.tif 000008
【図７】
0003168560.tif 000009